【手続補正書】
【提出日】平成29年11月10日(2017.11.10)
【手続補正１】
【補正対象書類名】明細書
【補正対象項目名】００３８
【補正方法】変更
【補正の内容】
【００３８】
現時点で開示されている実施形態に対する様々な変形、変更は、当業者には明らかであろうことも理解されるべきである。そのような変形、変更は、本開示の趣旨、範囲から逸脱することなく、また、その意図する利点を減じることなく行うことができる。したがって、そのような変形、変更は添付の特許請求の範囲によって包含されることを意図する。
なお、本発明は以下の特徴を以って実施することができる。
[特徴１]
塗布ヘッドと、
該塗布ヘッドに流体的に結合されたノズル集成体とを具備する流体塗布装置において、
前記ノズル集成体が、
開放端部および閉鎖端部を有し、材料ストランドを受容するガイドスロットと、
第１の流体を前記ストランド上に吐出するオリフィスであって、前記ガイドスロットが該オリフィスから離間させて配置されているオリフィスと、
前記オリフィスに隣接し、該オリフィスから吐出される前記第１の流体に作用するように第２の流体を吐出するよう構成された少なくとも１つの出口とを具備し、
前記ガイドスロットの前記閉鎖端部は、前記ストランドを前記オリフィスから所定の距離だけ離間させる停止部を形成し、それにより、前記第１の流体が前記オリフィスから前記所定の距離を越えて前記ストランド上に吐出されるようにした流体塗布装置。
[特徴２]
２つ以上のガイドスロットおよび２つ以上のオリフィスを更に有する特徴１に記載の流体塗布装置。
[特徴３]
３つのガイドスロットおよび３つのオリフィスを更に有する特徴１に記載の流体塗布装置。
[特徴４]
前記ノズル集成体は、それぞれの固定部材を受けて、該ノズル集成体を前記塗布ヘッドに選択的かつ解除可能に固定する少なくとも１つの固定穴を更に有する特徴１に記載の流体塗布装置。
[特徴５]
前記少なくとも１つの固定穴は２つの固定穴を含む特徴４に記載の流体塗布装置。
[特徴６]
前記アプリケーターはアダプターを更に備え、前記ノズル集成体は前記アダプターに固定される特徴１に記載の流体塗布装置。
[特徴７]
前記流体塗布装置はストランド係合装置を更に備え、該ストランド係合装置は、前記材料ストランドに係合して、前記ガイドスロット内で前記オリフィスに対して前記材料ストランドの位置を調整する係合アームを備える特徴１に記載の流体塗布装置。
[特徴８]
前記ノズル集成体はガイドプレートを更に備え、前記ガイドスロットは該ガイドプレートに形成される特徴１に記載の流体塗布装置。
[特徴９]
前記第１の流体は接着剤であり、前記第２の流体は空気である特徴１に記載の流体塗布装置。
[特徴１０]
材料ストランドに少なくとも１つの流体を塗布する流体塗布装置用のノズル集成体において、
開放端部および閉鎖端部を有し、材料ストランドを受容するガイドスロットを有するガイドプレートと、
前記ストランド上に第１の流体を吐出するオリフィスであって、前記ガイドスロットが、前記ストランドの進行方向において該オリフィスから離間させて配置されているオリフィスと、
前記オリフィスに隣接して配置され、前記ストランド上への前記第１の流体の塗布を制御するように第２の流体を吐出するよう構成された少なくとも１つの出口とを具備し、
前記ガイドスロットの前記閉鎖端部は、前記ストランドを前記オリフィスから所定の距離だけ離間させる停止部を形成し、それにより、前記第１の流体が前記オリフィスから前記所定の距離を越えて前記ストランド上に吐出されるようにしたノズル集成体。
[特徴１１]
２つ以上のガイドスロットおよび２つ以上のオリフィスを更に有する特徴１０に記載のノズル集成体。
[特徴１２]
３つのガイドスロットおよび３つのオリフィスを更に有する特徴１０に記載のノズル集成体。
[特徴１３]
前記ノズル集成体は、それぞれの固定部材を受けて、該ノズル集成体を前記塗布ヘッドに選択的かつ解除可能に固定する少なくとも１つの固定穴を更に有する特徴１０に記載のノズル集成体。
[特徴１４]
前記第１の流体は接着剤であり、前記第２の流体は空気である特徴１０に記載のノズル集成体。
[特徴１５]
ノズル集成体を用いて材料ストランドに流体を塗布する方法において、
前記ノズル集成体は、前記ストランドを受容してその内部に通す開放端部および閉鎖端部を有するガイドスロットと、前記閉鎖端部から離間させて設けられ第１の流体を吐出するオリフィスと、該オリフィスに隣接し、前記ストランド上への前記第１の流体の塗布を制御するように第２の流体を吐出するよう構成された少なくとも１つの出口とを有しており、
該方法は、
前記ストランドが前記オリフィスから所定の距離だけ離間するように、前記ストランドを前記ガイドスロットの前記閉鎖端部において位置決めし、
前記ガイドスロットを通して所定の速度で前記ストランドを給送し、
前記オリフィスから前記所定の距離を越えて前記ストランド上に前記第１の流体を塗布し、
前記ストランド上への前記第１の流体の塗布を制御するように、前記少なくとも１つの出口から前記第２の流体を吐出することとを含む方法。
[特徴１６]
前記第１の流体は接着剤であり、前記第２の流体は空気である特徴１５に記載の方法。
[特徴１７]
前記所定の距離は、０〜２mmである特徴１５に記載の方法。
[特徴１８]
前記所定の速度は、最大１０００mpmである特徴１５に記載の方法。
【手続補正２】
【補正対象書類名】特許請求の範囲
【補正対象項目名】全文
【補正方法】変更
【補正の内容】
【特許請求の範囲】
【請求項１】
塗布ヘッドと、
該塗布ヘッドに流体的に結合された非接触ノズル集成体とを具備する流体塗布装置において、
前記非接触ノズル集成体が、
前記塗布ヘッドの第１の面に固定されたノズル本体であって、第１の流体を吐出するオリフィスと、該オリフィスに隣接させて設けられた少なくとも１つの出口とを有し、前記オリフィスと前記少なくとも１つの出口が該ノズル本体の幅方向に延びる共通の線上に配置され、前記オリフィスから吐出される前記第１の流体に作用するように前記少なくとも１つの出口から第２の流体を吐出するようにしたノズル本体と、
前記第１の面とは異なる前記塗布ヘッドの第２の面に固定されたガイドプレートであって、該ガイドプレートが、前記ノズル本体から離間させて配置され、材料ストランドを受容するガイドスロットを有し、該ガイドスロットが開放端部と閉鎖端部とを有しているガイドプレートと、
前記材料ストランドに係合して前記ガイドスロット内で該材料ストランドを前記塗布ヘッドに対して支持する係合アームを備えるストランド係合装置とを具備し、
前記ガイドスロットの前記閉鎖端部は、前記ストランドを前記オリフィスから所定の距離だけ離間させる停止部を形成し、それにより、前記第１の流体が前記オリフィスから前記ストランド上に前記所定距離を通して吐出され、
前記ガイドプレートが前記ノズル本体とは独立して前記塗布ヘッドに固定されている流体塗布装置。
【請求項２】
２つ以上のガイドスロットおよび２つ以上のオリフィスを更に有する請求項１に記載の流体塗布装置。
【請求項３】
３つのガイドスロットおよび３つのオリフィスを更に有する請求項１に記載の流体塗布装置。
【請求項４】
前記非接触ノズル集成体は、それぞれの固定部材を受けて、該非接触ノズル集成体を前記塗布ヘッドに選択的かつ取外し可能に固定する少なくとも１つの固定穴を更に有する請求項１に記載の流体塗布装置。
【請求項５】
前記少なくとも１つの固定穴は２つの固定穴を含む請求項４に記載の流体塗布装置。
【請求項６】
前記アプリケーターはアダプターを更に備え、前記非接触ノズル集成体は前記アダプターに固定される請求項１に記載の流体塗布装置。
【請求項７】
前記第１の流体は接着剤であり、前記第２の流体は空気である請求項１に記載の流体塗布装置。
【請求項８】
前記オリフィスが0.41〜0.51mm(0.016〜0.02inch)の幅を有している請求項１に記載の流体塗布装置。
【請求項９】
前記第２の流体は、前記第１の流体が前記ストランドに非繰返しパターンで塗布されるように前記第１の流体に作用する請求項１に記載の流体塗布装置。
【請求項１０】
前記ガイドスロットの幅は、前記開放端部から閉鎖端部へ前記塗布ヘッドへ向けて連続的に縮小する請求項１に記載の流体塗布装置。
【請求項１１】
前記ストランドは、前記ストランド係合装置と前記塗布ヘッドとの間に延在し、前記ストランド係合装置が前記塗布ヘッドへ向けて移動することによって、前記ストランドが前記塗布ヘッドへ向けて移動するようにした請求項１に記載の流体塗布装置。
【請求項１２】
材料ストランドに少なくとも１つの流体を塗布する流体塗布装置用の非接触ノズル集成体において、
開放端部および閉鎖端部を有し、材料ストランドを受容するガイドスロットを有するガイドプレートと、
前記ストランド上に第１の流体を吐出するオリフィスを有したノズル本体であって、前記ガイドスロットが、前記ストランドの進行方向において該ノズル本体から離間させて配置され、該ノズル本体は、前記オリフィスに隣接させて設けられた複数の出口を更に有しており、前記オリフィスと前記複数の出口が該ノズル本体の幅方向に延びる共通の線上に配置され、複数の出口が、前記ストランド上への前記第１の流体の塗布を制御するように第２の流体を吐出するように形成されているノズル本体と、
前記ノズル本体に前記第１と第２の流体を供給するアダプターであって、前記ノズル本体が該アダプターの第１の面に固定され、前記ガイドプレートが前記第１の面とは異なる該アダプターの第２の面に固定されるようにしたアダプターとを具備し、
前記ガイドスロットの前記閉鎖端部は、前記ストランドを前記オリフィスから所定の距離だけ離間させる停止部を形成しており、それにより、前記第１の流体が前記オリフィスから前記ストランド上に前記所定距離を通して吐出され、該所定距離は２ｍｍ未満となっている非接触ノズル集成体。
【請求項１３】
２つ以上のガイドスロットおよび２つ以上のオリフィスを更に有する請求項１２に記載の非接触ノズル集成体。
【請求項１４】
３つのガイドスロットおよび３つのオリフィスを更に有する請求項１２に記載の非接触ノズル集成体。
【請求項１５】
前記非接触ノズル集成体は、それぞれの固定部材を受けて、該非接触ノズル集成体を前記塗布ヘッドに選択的かつ取外し可能に固定する少なくとも１つの固定穴を更に有する請求項１２に記載の非接触ノズル集成体。
【請求項１６】
前記第１の流体は接着剤であり、前記第２の流体は空気である請求項１２に記載の非接触ノズル集成体。
【請求項１７】
塗布ヘッドと、
該塗布ヘッドに流体的に結合された非接触ノズル集成体とを具備する流体塗布装置において、
前記非接触ノズル集成体が、
前記塗布ヘッドの第１の面に固定されたノズル本体であって、第１の流体を吐出するオリフィスと、該オリフィスに隣接させて設けられた少なくとも１つの出口とを有し、前記少なくとも１つの出口が、前記オリフィスから吐出される前記第１の流体に作用するように、第２の流体を吐出するように形成されているノズル本体と、
前記第１の面とは異なる前記塗布ヘッドの第２の面に固定されたガイドプレートであって、前記ノズル本体から離間させて配置され開放端部と閉鎖端部とを有して材料ストランドを受容するガイドスロットを有したガイドプレートとを具備し、
前記ガイドスロットの前記閉鎖端部は、前記ストランドを前記オリフィスから所定の距離だけ離間させる停止部を形成し、それにより、前記第１の流体が前記オリフィスから前記ストランド上に前記所定距離を通して吐出され、該所定距離が２ｍｍ未満であり、
前記第２の流体が前記第１の流体に作用して、該第１の流体が前記ストランドに非繰返しパターンで塗布されるようにした流体塗布装置。